(57)【要約】      （修正有）【課題】プラットフォーム製法による靴において、均一に裾テープを引っ張ることができる靴を提供する。【解決手段】甲被４の下部周縁に中底６を縫い付けて袋状体２が形成されている。中底６の下面にプラットフォーム８が配置され、このプラットフォーム８の下面に中間体１０の主部１０ａが位置し、中底６と甲被４との接合部を包囲するように中間体１０の側部１０ｂが配置されている。中間体６は、その厚さ方向への伸縮が少ない材質のものである、裾テープ１４が甲被４に中底６と共に縫い付けられ、裾テープ１４の下端が中間体１０の主部１０ｂの下面側に引っ張られて接着されている。【選択図】図１
0003155346.tif 000002
【実用新案登録請求の範囲】
【請求項１】
甲被の下部周縁に中底を縫い付けて形成された袋状体と、
前記中底の下面に接するように配置されたプラットフォームと、
前記プラットフォームの下面側に前記プラットフォームを包囲するように配置され、その厚さ方向への伸縮が少ない中間体と、
前記袋状体の周面に縫い付けられ、下端が前記中間体を超えて前記中間体の下面側に引っ張られて接着されている裾テープとを、
具備する靴。
【請求項２】
請求項１記載の靴において、前記中間体は、前記プラットフォームの下面に接する主部と、この主部の周囲から前記中底と前記甲被との接合部付近まで伸びた側部とを、具備している靴。
【請求項３】
請求項２記載の靴において、前記主部の厚さが前記側部の厚さよりも薄い靴。
【請求項４】
請求項１乃至３いずれか記載の靴において、前記裾テープは、前記甲被の周面に縫い付けられている靴。
【請求項５】
請求項１乃至４いずれか記載の靴において、前記中間体がポリウレタン製である靴。
【考案の詳細な説明】
【技術分野】
【０００１】
本考案は、靴に関し、特にプラット製法によって製造される靴に関する。
【背景技術】
【０００２】
従来、プラット製法によって製造される靴としては、例えば特許文献１に開示されているようなものがある。特許文献１の技術によれば、甲革、中底、裾テープの三者を縫い合わせて、袋状に、裾テープを中底側に引っ張り、中底の下面に貼り付けてある。中底は履き心地をよくするために、柔らかい材質のものが使用されることが多い。
【先行技術文献】
【特許文献】
【０００３】
【特許文献１】特開平１０−１４６１４号公報
【考案の概要】
【考案が解決しようとする課題】
【０００４】
しかし、このような構成では、裾テープを中底側に引っ張る際、中底が柔らかいので均一に引っ張ることができず、不均一になることがある。また、その引っ張りの量も、靴ごとに変化することがあり、量産した靴の品質を均一にすることができなかった。
【０００５】
本考案は、均一に裾テープを引っ張ることができ、量産しても均一な品質の靴を提供することを目的とする。
【課題を解決するための手段】
【０００６】
本考案の一態様の靴では、甲被の下部周縁に中底を縫い付けて袋状体が形成されている。前記中底の下面に接するようにプラットフォームが配置されている。プラットフォームとしては、伸縮性のあるものが望ましい。このプラットフォーム８の下面側に前記プラットフォームを包囲するように中間体が配置されている。中間体としては、その厚さ方向への伸縮が少ない材質のものが使用されている。前記袋状体の周面に裾テープが縫い付けられ、裾テープの下端が中間体を超えて前記中間体の下面側に引っ張られて接着されている。
【０００７】
このように構成された靴では、厚さ方向への伸縮が少ない中間体を設け、これの下側に裾テープを引っ張るので、中間体が殆ど伸縮せず、中間体のどの場所でも同量だけ裾テープを中間体側に引っ張ることができる。
【０００８】
中間体としては、プラットフォームの下面に接する主部と、この主部の周囲から前記中底と前記甲被との接合部卑近まで伸びた側部とを具備するものとすることができる。この中間体の主部の厚さよりも側部の厚さを薄くすることが望ましい。中間体としては、例えばポリウレタン製のものを使用することができる。
【考案の効果】
【０００９】
以上のように、この考案による靴によれば、中間体が包囲しているプラットフォームが伸縮性を有するものであっても、裾テープを中間体のどの位置でも均一に中間体側に引っ張ることができ、見栄えを良好にすることができる。更に、この靴を多数製造した場合でも、靴ごとに引っ張り量が変化することが無く、同一品質の靴を製造することができる。しかも、中間体を主部と側部とによって構成し、主部の厚さを側部よりも薄くすると、曲がりのよい靴とすることができるし、主部の厚さを調整することによって、曲がりの量を調整することができるし、裾テープの引っ張りの量を調整することができる。
【図面の簡単な説明】
【００１０】
【図１】本考案の一実施形態の靴の縦断面図である。
【考案を実施するための形態】
【００１１】
本考案の一実施形態の靴は、図１に示すように、袋状体２を有している。袋状体２は、甲被４と中底６とからなる。甲被２は、靴の底部を除く全ての部分を覆うことができるもので、例えば軟質性のある皮革または合成皮革製である。被２の底部全域を覆うように中底６が配置されている。中底６の周縁部は、折り返されて甲被４の下部周縁部に接触している。中底６の下面全域には、プラットフォーム８が配置されている。プラットフォーム８は、その上面が甲被４の下部周縁部及び中底６の周縁部にも接触している。プラットフォーム８は、例えば伸縮性のある材料によって構成されている。
【００１２】
プラットフォーム８の下面全域に接するように中間体１０の主部１０ａが配置されている。この主部１０ａの全周囲を囲い、かつ内底８と甲被２の下部との接合部分付近まで側部１０ｂが伸びている。中間体１０は、その厚さ方向に伸縮しにくい材料、例えばポリウレタン製であり、その主部１０ａの厚さは、側部１０ｂの厚さよりも薄くされている。その結果、主部１０ａは、側部１０ｂよりも厚さ方向に沿って撓み易い。
【００１３】
中間体１０の側部１０ｂ側面の全域を覆うように裾テープ１４が配置されている。裾テープ１４としては、或る程度伸縮性のあるものが望ましく、例えば皮革または合成皮革製である。裾テープ１４は、その上端部が側部１０ｂと甲被４との間に織り込まれており、全周で符号１６で示すように甲被４及び中底８に縫い付けられている。裾テープ１４の下端部が中間体１０の主部１０ａの下面側まで引っ張られ、中間体１０の主部１０ａの下面周縁部に接着されている。
【００１４】
裾テープ１４が縫い付けられている中間体１０の側部１０ｂは、ポリウレタン製であり、その厚さ方向には或る程度の剛性を持っている。そのため、縫い付けた裾テープ１４を中間体１０側に引っ張っても、その内部に伸縮性の大きいプラットフォーム８が存在していても、側部１０ｂが変形することはなく、側部１０ｂのどの位置でも、裾テープ１４を均一に中間体１０側に引っ張ることができる。従って、この靴を量産した場合、どの靴においても、裾テープ１４は、どの位置でも均一に引っ張られており、同一品質の靴を大量に製造することができる。しかも、中間体１０ａの厚さを側部１０ｂの厚さよりも薄くしてあるので、主部１０ａは撓みやすく、靴の柔軟性を確保することができる。また、主部１０ａの厚さを調整することによって、靴の柔軟性の状態を調整することができる。
【００１５】
なお、破線で示すように、中間体１０の下面には、裾テープ１４の下端を挟み込んだ状態で、本底が接着される。
【００１６】
上記の実施形態では、裾テープ１４は、甲被４に中底６と共に縫い付けたが、甲被４にのみ縫い付け、別途甲被４と中底６とを縫い付けることもできる。
【符号の説明】
【００１７】
２  袋状体
４  甲被
６  中底
１０  中間体
１０ａ  主部
１０ｂ  側部
１４  裾テープ
【図１】
0003155346.tif 000003